(57)【要約】  【課題】  塗装作業のハケの後始末で収納と再使用の取り出しを、手間なく簡単に手を汚さずに行え、それを用いる収納密閉容器もコンパクトになり収納保管を容易で安定、確実なものにするハケ先固定器具の提案。  【解決手段】  円板にＤ字型の開口部を設け、Ｄ字型の直線部から垂下する壁部を設け、その壁部の両端からそれぞれ彎曲した羽根部を延設し、各々の羽根部の先端を対向させて開門部を形成させ、上記壁部の下端に内側に突起したストッパーを設け、上記Ｄ字型の開口部の内側に複数の下向きに突起したツメを設け、上記円板の開口されていない部分の縁にも円板のセンターから同じ距離の位置に下向きに突起したツメが設けられているハケ先固定器具。【選択図】  図１
2005185922.tif 000002
【特許請求の範囲】
【請求項１】
円板にＤ字型の開口部を設け、Ｄ字型の直線部から垂下する壁部を設け、その壁部の両端からそれぞれ彎曲した羽根部を延設し、各々の羽根部の先端を対向させて開門部を形成させ、上記壁部の下端に内側に突起したストッパーを設け、上記Ｄ字型の開口部の内側に複数の下向きに突起したツメを設け、上記円板の開口されていない部分の縁にも円板のセンターから同じ距離の位置に下向きに突起したツメが設けられていることを特徴とするハケ先固定器具。
【発明の詳細な説明】
【技術分野】
【０００１】
本発明は、塗装作業で使用したハケの後始末に用いて大変有用なハケ先固定器具に関するものである。
【背景技術】
【０００２】
塗装作業で使用したハケの後始末は、放置するとハケ先が塗料で固まって再使用しにくくなるので、使用後は毎回一々シンナーで塗料を溶かして洗浄し乾燥させる必要があり、手間がかかり、手を汚す等大変面倒で厄介なものである。
そこで、従来、使用後のハケを密閉容器に入れて保管、再使用できるようにしようとした提案がある（例えば、特許文献１参照）。
図７は、特許文献１に記載された密閉容器の断面図であって、塗装作業後のハケ３２の柄に棒３４をさしこんで、ストッパー３３の付いた容器３５に吊り下げ、柄の部分から袋付き蓋３１を被せて密閉するというものである。
【０００３】
しかしながら、このような袋付き蓋を使用した密閉容器のものでは、袋を被せる柄の部分があるのでどうしても密閉容器が縦に大きなものになり、不安定で倒れやすいため、収納保管しにくいという問題があった。
【０００４】
【特許文献１】特開平９―２０６６６２（第２頁、図４参照）
【発明の開示】
【発明が解決しようとする課題】
【０００５】
本発明が解決しようとする課題は、以上のような問題を解決するためになされたものであって、塗装作業で使用したハケの後始末のための収納操作を、手間をかけずに簡単に、しかも手を汚さずに行えて、さらにその収納密閉容器をコンパクトに、かつ座りよくして、収納保管を容易で安定、確実なものにすると共に、ハケの再使用のための取り出し操作も手を汚さず、簡単に行えるハケ先固定器具を提案することにある。
【０００６】
なお、この発明にあたっては、ハケに、最近ハケ先の使い捨てを目的として市販されている、図９に分解図で示すような、ハケ先部分８と柄の部分１２を凹凸で嵌め合わせてスライド式で一体化できるようにした着脱自在ハケ（図８の平面図参照）を活用することを前提としたものであり、このハケを使い捨てハケからリサイクルハケに改善することも課題の一つとしたものである。
【課題を解決するための手段】
【０００７】
本発明は、円板にＤ字型の開口部を設け、Ｄ字型の直線部から垂下する壁部を設け、その壁部の両端からそれぞれ彎曲した羽根部を延設し、各々の羽根部の先端を対向させて開門部を形成させ、上記壁部の下端には内側に突起したストッパーを設け、上記Ｄ字型の開口部の内側には複数の下向きに突起したツメを設け、上記円板の開口されていない部分の縁にも円板のセンターから同じ距離の位置に下向きに突起したツメが設けられているハケ先固定器具である。
【０００８】
本発明のＤ字型の開口部としては、ハケの挿入し易すさのため、直線部がＤ字型の曲線部の反対に円板のセンターを越えて偏っている方がよい。
また、壁部の幅は、上記Ｄ字型の直線部より短くほぼ中央に位置しているのが好ましい。
また、羽根部は、金属や硬質プラスチックなどの可撓性のある材料から作られるのが好ましく、かつまた、羽根部の先端同士を対向させて開門部を形成させてある。それらの理由は、ハケ先根本をキャッチする役目をもたせるためである。
【０００９】
また、ストッパーは、ハケ先根本の底辺が当たり、毛部に触れないことが必要であり、
そのため、ストッパーの突起幅は、ハケ先根本の材質の厚みより小なることが必要である。
また、ストッパーからＤ字型の直線部までの長さが、ハケ先根本の幅と同じであることが必要である。なぜならば、それがハケ先根本の幅より大なると、蓋が閉まらず密閉できなくなるし、ハケ先根本の幅より小なるときは、ハケ先根本を取り出すときに、柄のスライド凹部が、ハケ先根本の凸部にひっかからなくなる。
また、ツメは、円板が横ズレなく容器に納まるためのガイドになるものである。そのため、複数のツメであっても、連続したツメであってもよい。
【発明の効果】
【００１０】
本発明は、
（１）塗装作業で使用したハケの後始末のための収納操作を、手間をかけずに簡単に、手を汚さずに行えるハケ先固定器具である。すなわち、
１．柄を握って、図２で示すように、ハケ先根本を片方の羽根部に引っ掛け矢印の方向に回転を加えることによって、もう一方の羽根部が開き、ハケ先根本をキャッチした後閉じ、図５で示すように、親指で円板を押すことによってハケ先がセットされる構成になっている為、ワンタッチ操作で簡単に行うことができ、
２．セット時にハケ先に触れずに柄の操作だけで済む構成になっているので、手を汚さずに行うことができる。
（２）ハケの再使用のための取り出し操作も、手を汚さず、スライド部を嵌め込みハケを上方向に引き抜くことで簡単に行えるハケ先固定器具である。
（３）ハケの収納密閉容器をコンパクトに、かつ座りよくして、収納保管を容易で安定、確実なものにすることができるハケ先固定器具である。すなわち、
１.図４で示すように、柄を外しスライド凸部を円板とフラットの位置にセットすることができる構成になっている為、収納密閉容器をコンパクト化することができ
２.セット時に、ハケ先の位置が多少ずれていても、蓋をすることによってハケ先根本が下方向にスライドして、ストッパーで定位置に止まる構成になっている為、確実に行うことができ
３.ハケ先だけを収納し密閉されているので、収納密閉容器を振ってハケ先を洗浄することもできる。
（４）地球環境対策に貢献するハケ先固定器具である。すなわち、
1、洗浄後の廃液は、２、３日で溶剤と塗料に分離し、溶剤を再使用できるので環境に優しく、
２、セパレートハケのハケ先は、使い捨てを目的として作られているが、溶剤に漬けて保持されている為、長期にわたって使用することができる。つまり使い捨てハケをリサイクルハケに改善する。
等、実用上極めて便利で、我々にとって大変有利な効果をもたらす発明である。
【発明を実施するための最良の形態】
【００１１】
以下、本発明を実施するための最良の形態について、一実施例をあげ、図１〜図６を用いて詳しく説明する。
【実施例１】
【００１２】
図１は、ハケ先固定器具の斜視図であって、１は円盤、２はＤ字型の開口部、３はＤ字型の直線部、４は壁部、５は羽根部、６はストッパー、７はツメである。
図１において、円板１は、厚さ２ｍｍ、直径７ｍｍのプラスチックである。
Ｄ字型の開口部２は、直径６ｃｍである。
Ｄ字型の直線部３は、長さは５ｃｍである。
壁部４は、厚さ２ｍｍ、幅２．５ｃｍ、高さ２．５ｃｍである。
羽根部５は、厚さ２ｍｍ、幅２ｃｍ、高さ２．５ｃｍで、内径７ｍｍで内側に彎曲している。
ストッパー６は、厚さ２ｍｍ、幅１ｃｍで、壁部４の上面より下方向２ｃｍのところで内側に１ｍｍ突起している。
ツメ７は、厚さ２ｍｍ、幅７ｍｍ、高さ７ｍｍである。
【００１３】
次に、図２は、ハケ先固定器具にハケ先根本を取り付ける時の動きを説明する平面図であって、８はハケ先根本、９はスライド凸部である。
図２において、羽根部５の片方にハケ先根本８を引っ掛け、矢印の方向に回転を加えることでもう一方の羽根部５が開き、ハケ先根本８をキャッチした後閉まる。
【００１４】
図３は、ハケ先密閉容器の構成を示す分解斜視図であって、２１は蓋、２２はハケ先固定器具、２３は容器である。
図３において、蓋２１は内径７ｃｍ強、ハケ先固定器具２２は外径７ｃｍ、容器２３は開口部が６２ｍｍ、高さ１０ｃｍである。
なお、容器の開口部は、蓋２１をネジ込み式で閉じられるものでも、また、引っ掛けてフック止めで閉じられるものでも、密閉できればいずれでもよい。
【００１５】
また、図４は、ハケ先を収納した状態のハケ先密閉容器の断面図であって、１４は毛部、２４は溶剤である。
図４において、毛部１４は、長さ４ｃｍ、幅３ｃｍ、厚み１ｃｍ、溶剤２４は、うすめ液ラッカー、シンナー等である。
【００１６】
また、図５は、ハケ先収納方法の説明図であって、１２は柄、１３はスライド凹部である。
図５において、柄１２を握ったまま親指で円板１を押し、スライド凹部１３をスライド凸部９からとりは外す。
【００１７】
また、図６は、ハケ先取り出し方法の説明図である。
図６において、柄１２を握ったまま、スライド凹部１３をスライド凸部９に嵌め込み、親指で円板１を押し、柄１２にハケ先根本８を取り付けた後、ハケ全体を上方向に引き抜く。
【図面の簡単な説明】
【００１８】
【図１】本発明の一実施例におけるハケ先固定器具の斜視図
【図２】同ハケ先固定器具にハケ先根本をキャッチさせる時の動きを示す説明図
【図３】同ハケ先固定器具を使用したハケ先密閉容器の構成分解図
【図４】同ハケ先固定器具を使用しハケ先を収納したハケ先密閉容器の断面図
【図５】同ハケ先収納方法の説明図
【図６】同ハケ先取り出し方法の説明図
【図７】従来におけるハケ先密閉容器の断面図
【図８】市販のセパレート型ハケの平面図
【図９】同セパレート型ハケのスライド部の説明図
【符号の説明】
【００１９】
１  円板
２  Ｄ字型の開口部
３  Ｄ字型の直線部
４  壁部
５  羽根部
６  ストッパー
７  ツメ
８  ハケ先根本
９  スライド凸部
１２  柄
１３  スライド凹部
１４  毛部
２１  蓋
２２  ハケ先固定器具
２３  容器
２４  溶剤
【図１】
2005185922.tif 000003
【図２】
2005185922.tif 000004
【図３】
2005185922.tif 000005
【図４】
2005185922.tif 000006
【図５】
2005185922.tif 000007
【図６】
2005185922.tif 000008
【図７】
2005185922.tif 000009
【図８】
2005185922.tif 000010
【図９】
2005185922.tif 000011